(57)【要約】【課題】  ギアボックスが常時適度な潤滑効果を保持でき、潤滑油が底部に沈積する状況を回避できる園芸機具のギアボックス構造を提供する。【解決手段】  ケースは、内部に収納空間を形成している。伝動ギア２０は、収納空間のなかに配置され、外力の駆動で回転可能である。偏心軸機構４０は、収納空間のなかに配置され、伝動ギア２０と連接して、伝動ギア２０と同時に動いて機具のカッターを連動して作動させることが可能である。補助潤滑羽根６０は、収納空間の底部に配置され、偏心軸機構４０と緊密に連接して、偏心軸機構４０の連動を受けて回転することが可能であり、若干の弧形溝６３を備え、回転時に収納空間底部にある潤滑油を偏心軸機構４０と伝動ギア２０まで導引して、潤滑の効用をもたせることが可能である。【選択図】    図２
2005027656.tif 000002
【特許請求の範囲】
【請求項１】
園芸機具のギアボックス構造であって、
内部に収納空間を形成するケースと、
前記収納空間のなかに配置され、外力の駆動で回転可能な伝動ギアと、
前記収納空間のなかに配置され、前記伝動ギアと連接して、前記伝動ギアと同時に動いて機具のカッターを連動して作動可能な偏心軸機構と、
前記収納空間の底部に配置され、前記偏心軸機構と緊密に連接して、前記偏心軸機構の連動を受けて回転可能であり、複数の弧形溝を有し、回転時に前記収納空間の底部にある潤滑油を前記偏心軸機構と伝動ギアまで導引して、潤滑の効用をもたせることが可能な補助潤滑羽根と、
を備えることを特徴とする園芸機具のギアボックス構造。
【請求項２】
前記ケースは、上ケース蓋および下ケース蓋を有し、前記上ケース蓋と前記下ケース蓋とを互いに結合すると、その内部に前記収納空間および前記収納空間と相通すると共に外部に連通する伝動空間を形成して、動力源を配設して、前記伝動ギアを連動して前記伝動ギアを回転させることが可能であり、前記上ケース蓋に前記収納空間に連通する油穴を形成して、潤滑油を注入することが可能であることを特徴とする請求項１記載の園芸機具のギアボックス。
【請求項３】
さらに当接板片を備え、前記当接板片は前記伝動ギアと前記偏心軸機構との間に位し、前記当接板片は所定の剛性を備えた金属薄板であることを特徴とする請求項１記載の園芸機具のギアボックス。
【請求項４】
伝動ギアの中心に、雌ねじ部を形成し、前記補助潤滑羽根は定位孔を有し、前記偏心軸機構は２つの偏心輪および２つの伝動支え棒を有し、前記各偏心輪はそれぞれ軸心棒および従動輪を有し、前記各軸心棒はそれぞれ前記各従動輪の端面上に固接し、しかも非軸心位置において前記各従動輪の別端を局部的に互いに貼り合わせて、前記各軸心棒を同一軸心線上に位置させ、偏心輪の軸心棒の外周に雄ねじ部を形成して、前記雄ねじ部と前記伝動ギアの雌ねじ部を螺接することが可能であり、別の軸心棒と前記従動輪の端面上にまた定位突起棒が突起して、前記定位孔に嵌入および接続することが可能であり、前記２つの伝動支え棒はそれぞれ連接端および作動端を有し、前記各連接端上に孔径が前記従動輪の輪径より大きい連接孔を形成し、前記各従動輪はそれぞれ前記各連接孔のなかに嵌め込まれ、ローラ軸受けを介して連接して、前記各伝動支え棒をそれぞれ前記従動輪に対して旋回させることが可能であり、前記作動端はそれぞれ草刈り機のカッターと連接していることを特徴とする請求項１記載の園芸機具のギアボックス。
【請求項５】
前記潤滑羽根は、金属板体で作製していることを特徴とする請求項１記載の園芸機具のギアボックス。
【請求項６】
前記補助潤滑羽根の中心位置に、平板部を形成し、前記各弧形溝は前記平板部の外縁から外に向けて延伸して形成しており、前記各弧形溝の両端の溝径は徐々に一端から別の端に向けて縮減していき、比較的大きな溝径の端の位置は比較的小さな溝径の端の位置より低いことを特徴とする請求項１記載の園芸機具のギアボックス。
【請求項７】
前記各弧形溝の外縁に、それぞれ外に向けて延伸して誘導平面を形成しており、前記各弧形溝を介して潤滑油を前記誘導平面上に導引させ、誘導平面を介して潤滑油を前記偏心軸機構と伝動ギアに給油し、潤滑の効果をもたせることが可能であることを特徴とする請求項６記載の園芸機具のギアボックス。
【請求項８】
前記伝動ギアの２つの相対する端面上に、それぞれ凹陥部を形成し、前記凹陥部は中心の周囲の外から所定の距離のところに所定の深さで外に向けて所定の距離を延伸して形成されており、主体の凹陥部の厚さは中心穿孔の周囲および歯牙の周囲の厚さに比べて薄く、且つ前記凹陥部に２つの凹陥部を貫通する透孔を形成していることを特徴とする請求項１記載の園芸機具のギアボックス。
【請求項９】
ギアボックス内の底部に配設され、前記ギアボックス内のギアの連動を受けて回転することが可能な園芸機具のギアボックス用の潤滑羽根であって、
前記ギアと結合する平板部と、
前記平板部の外縁から外に向けて延伸して形成しており、両端の溝径は徐々に一端から別の端に向けて縮減していき、比較的大きな溝径の端の位置は比較的小さな溝径の端の位置より低くなっている複数の弧形溝と、
前記各弧形溝の外縁から外に向けて延伸して形成しており、前記平板部の位置と大体同じ高さで、前記各弧形溝を介してギアボックス内の潤滑油を上方まで誘導可能な複数の誘導平面と、
を有することを特徴とする園芸機具のギアボックス用の潤滑羽根。
【発明の詳細な説明】
【技術分野】
【０００１】
本発明は、園芸機具に係わるものであり、さらに詳細に言えば、園芸機具のギアボックス構造に関するものである。
【背景技術】
【０００２】
一般の携帯式草刈り機のギアボックスは、潤滑油（一般に、バター）を注入して潤滑をよくすることで、過熱または摩擦力の過大によるギアの損壊を回避している。
ただ、一般の携帯式草刈り機のギアボックスについて言えば、大体がケースおよび当該ケース内に配設したギアと連接棒で構成しており、潤滑油をケース上部からそのなかに注入して、ギアと連結棒が、適時、潤滑油による潤滑効果を得られるようにしているが、ギアおよび連結棒が運転して一定時間が過ぎたり、草刈り機が一定時間置かれたりすると、ギアボックス内の潤滑油はケース内部の下方に沈積し、こうなると、ギアおよび連結棒は適度な潤滑油による潤滑効果が得られなくなるために、ギアボックスは極めて損壊しやすくなる。
【発明の開示】
【発明が解決しようとする課題】
【０００３】
本考案の主要な目的は、ギアボックスが常時適度な潤滑効果を常に保持する園芸機具のギアボックス構造を提供することにある。
本考案の別の目的は、ギアボックス内のギアが運転している際、そのなかにある潤滑油が底部に沈積する状況が発生することを回避できる園芸機具のギアボックス構造を提供することにある。
【課題を解決するための手段】
【０００４】
上記の目的を達成するために、本考案が提供する園芸機具のギアボックス構造は、主に、ケースを備え、当該ケースの内部に収納空間を形成している。伝動ギアを備え、前記収納空間のなかに配置され、また、外力の駆動で回転できる。偏心軸機構を備え、前記収納空間のなかに配置され、また、前記伝動ギアと連接して、前記伝動ギアと同時に動いて前記機具のカッターを連動して作動させることができる。補助潤滑羽根を備え、当該収納空間の底部に配設され、前記偏心軸機構と緊密に連接して、当該偏心軸機構の連動を受けて回転させることができ、若干の弧形溝を備え、回転時に当該収納空間底部にある潤滑油を当該偏心軸機構と伝動ギアまで導引して、潤滑の効用をもたせることができる。
【発明を実施するための最良の形態】
【０００５】
本考案の特徴および目的を深く理解して認めていただくために、以下、比較的優れた実施例を列挙し、また、図面と合わせて説明する。
図１から図３に示すように、本考案の比較的優れた一実施例で提供する園芸機具のギアボックス構造１００は、主に、ケース１０と、伝動ギア２０と、当接板片３０と、偏心軸機構４０と、補助潤滑羽根６０とを含んでいる。
【０００６】
前記ケース１０は上ケース蓋１１および下ケース蓋１２を備え、当該上ケース蓋１１および当該下ケース蓋１２は若干のねじで互いにロッキング接続し、しかも、当該上ケース蓋１１と当該下ケース蓋１２を互いにロッキング接続すると、その内部に収納空間１３および当該収納空間１３と連通するとともに外部に連通する伝動空間１４を形成することができる。
【０００７】
前記伝動ギア２０は略円盤状を呈したギア主体２１を備え、当該主体２１の外周に所定の形態を呈する歯牙２２を形成し、当該主体２１の中心位置に２つの相対する端面を貫通する中心穿孔２３を形成し、当該中心穿孔２３の孔壁に雌ねじ部２３１を形成し、当該主体２１の２つの相対する端面上にそれぞれ凹陥部２４を形成し、当該凹陥部２４は当該中心穿孔２３の周囲の外から所定の距離のところに所定の深さで外に向けて所定の距離を延伸して形成し、当該主体２１の凹陥部２４の厚さは中心穿孔２３の周囲および歯牙２２の周囲に比べて薄く、また、当該主体２１の当該凹陥部２４にある部分に２つの凹陥部２４を貫通する若干の透孔２５を形成している。
【０００８】
前記当接板片３０は板片主体３１を備え、当該主体３１は所定の剛性を備えた金属薄板で、その外径は当該伝動ギア２０の凹陥部２４の幅に比べ小さく、その中心位置のところに貫孔３２を形成し、当該板片主体３１と当該貫孔３２の周囲の所定の距離のところに若干の穿透孔３３を形成し、当該当接板片３０を当該伝動ギア２０の凹陥部２４に嵌合することができ、当該貫孔３２を当該中心穿孔２３と相対して連通させることができる。
【０００９】
前記偏心軸機構４０は２つの偏心輪４１と偏心輪４２および２つの伝動支え棒４３と伝動支え棒４４を備え、当該偏心輪４１および当該偏心輪４２はそれぞれ軸心棒４１１および軸心棒４２１と従動輪４１２および従動輪４２２とを備え、当該軸心棒４１１および当該軸心棒４２１はそれぞれ当該従動輪４１２および当該従動輪４２２の端面上に固接し、しかも非軸心位置において当該各従動輪の別の端面を局部的に互いに貼り合わせて、当該軸心棒４１１と当該軸心棒４２１を同一軸心線上に位置させ、偏心輪４１の軸心棒４１１の外周に雄ねじ部４１３を形成して、当該雄ねじ部４１３と当該伝動ギア２０の雌ねじ部２３１とを螺接することができ、当該当接板片３０は当該偏心軸機構４０と当該伝動ギア２０との間に挟まれ、別の軸心棒４２１と連接した従動輪４２２の端面上に定位突起棒４２３が突起している。当該２つの伝動支え棒４３および伝動支え棒４４はそれぞれ連接端４３１および連接端４４１と作動端４３２および作動端４４２とを備え、当該連接端４３１および当該連接端４４１に孔径が当該従動輪４１２および当該従動輪４２２の輪径より大きい連接孔４３３および連接孔４４３を形成し、当該従動輪４１２および当該従動輪４２２をそれぞれ当該連接孔４３３および当該連接孔４４３のなかに嵌め込み、ローラ軸受けを介して連接され、当該伝動支え棒４３および当該伝動支え棒４４をそれぞれ当該従動輪４１２および当該従動輪４２２に対して旋回させることができ、当該作動端４３２および当該作動輪４４２はそれぞれ草刈り機の草刈り刃７０と連接している。
【００１０】
前記潤滑羽根６０は、金属板体で作製し、その中心位置において中心軸孔６１を形成し、当該中心軸孔６１の孔径は当該軸心棒４２１の外径よりやや大きく、しかも当該中心軸孔６１周縁から外に向けて所定の直径および範囲を有する平板部６２が延伸しており、また、当該平板部６２が当該従動輪４２２の定位突起棒４２３に対応する位置のところに定位孔６２１を形成し、当該平板部６２の外縁に外に向けて若干の弧形溝６３が延伸しており、当該各弧形溝６３の両端の溝径は徐々に一端から別の端に向けて縮減していき、しかも比較的大きな溝径の端の位置は比較的小さな溝径の端の位置より低く、当該各弧形溝６３の外部からそれぞれ外に向けて誘導平面６４が延伸していて、当該偏心軸機構４０の軸心棒４２１を当該中心軸孔６１のなかに挿入することができ、同時に、当該偏心軸機構４０の定位突起棒４２３を当該定位孔６２１に嵌合し、当該補助潤滑羽根６０を当該偏心軸機構４０と同時に動かすことができる。
【００１１】
以上、本実施例の主要な構成要件を紹介したが、さらに使用方式および特徴について、以下のとおり紹介する。
まず、当該上ケース蓋１１の油穴１１１から潤滑油を当該収納空間１３のなかに注入し、図５および図７に示すように、当該伝動ギア２０が伝動空間にあるギア（図では示されていない）の伝動を受けると、当該伝動ギア２０は同時に当該軸心棒４１１および当該軸心棒４２１と当該従動輪４１２および当該従動輪４２２とを連動して回転し、このときに、当該従動輪４１２および当該従動輪４２２は偏向して当該伝動支え棒４３および当該伝動支え棒４４を連動して旋回し、当該伝動支え棒４３および当該伝動支え棒４４と連接した草刈り刃７０を直線に変移させて、２つの草刈り刃の刃部が互いに交錯することで、草刈りまたは枝刈りなどの園芸作業を行うことができ、このときに、収納空間１３の底部にある補助潤滑羽根６０は同時に当該従動輪４１２および当該従動輪４２２の連動を受けて回転し、図４に示すように、収納空間１３の底部にある潤滑油を当該各弧形溝６３が誘導（すくい取る）して当該各誘導平面６４上まで導引し、このときに、誘導平面６４上まで導引された潤滑油は、補助潤滑羽根６０が回転したときの遠心力の働きで、当該伝動ギア２０の歯牙２２および当該従動輪４１２および当該従動輪４２２と当該伝動支え棒４３および当該伝動支え棒４４との連接点の間まで投げ出されて、潤滑の効果をアップさせると同時に、潤滑油が収納空間１３の底部に沈積する状況を回避する。
【００１２】
また、上述した実施例においては、羽根上の定位孔と従動輪上の定位突起棒を利用して結合して連動させているが、ゴムガスケットまたはその他の類似した物を利用して当該羽の平板部および下ケース蓋の軸受上に当接させることもでき、こうすれば、ゴムガスケットの結着力を利用して当該従動輪に当該羽根を連動して回転させることもでき、定位孔および定位突起棒の部材を省くこともでき、しかも例えば、当該羽根が比較的大きな抵抗を受けるとき、当該羽根を当該従動輪に従動させないことで、損壊を回避することもできる。
【図面の簡単な説明】
【００１３】
【図１】本考案の一実施例による園芸機具のギアボックス構造を示す斜視図である。
【図２】本考案の一実施例による園芸機具のギアボックス構造を示す分解斜視図である。
【図３】本考案の一実施例による園芸機具のギアボックス構造を示す断面図である。
【図４】本考案の一実施例による園芸機具のギアボックス構造の一部を示す斜視図である。
【図５】本考案の一実施例による園芸機具のギアボックス構造の作動を示す模式図である。
【図６】本考案の一実施例による園芸機具のギアボックス構造の作動を示す模式図である。
【図７】本考案の一実施例による園芸機具のギアボックス構造の使用状態を示す断面図である。
【符号の説明】
【００１４】
１０  ケース、１１  上ケース蓋、１２  下ケース蓋、１３  収納空間、１４  伝動空間、２０  伝動ギア、２１  ギア主体、２２  歯牙、２３  中心穿孔、２４  凹陥部、２５  透孔、３０  当接板片、３１  板片主体、３２  貫孔、３３  穿透孔、４０  偏心軸機構、４１  偏心輪、４２  偏心輪、４３  伝動支え棒、４４  伝動支え棒、６０  補助潤滑羽根、６１  中心軸孔、６２  平板部、６３  弧形溝、６４  誘導平面、７０  草刈り刃、１００園芸機具のギアボックス構造、１１１  油穴、２３１  雌ねじ部、４１１  軸心棒、４１２  従動輪、４１３  雄ねじ部、４２１  軸心棒、４２２  従動輪、４２３  定位突起棒、４３１  連接端、４３２  作動端、４３３  連接孔、４４１  連接端、４４２  作動端、４４３  連接孔、６２１  定位孔
【図１】
2005027656.tif 000003
【図２】
2005027656.tif 000004
【図３】
2005027656.tif 000005
【図４】
2005027656.tif 000006
【図５】
2005027656.tif 000007
【図６】
2005027656.tif 000008
【図７】
2005027656.tif 000009